(57)【要約】【課題】住宅内で非火災報要因が事前に分かっている場合に、一時的に警報出力を禁止できる住宅用火災警報器、及びこれを用いたシステムを提供する。【解決手段】熱や煙によって火災を検知し火災検知信号を出力する火災検知回路部１２と、火災検知信号を受けて警報を出力する警報回路部１３と、予め設定されたタイマ時間を計時するタイマ回路部１４と、マスク設定スイッチ１５とを備え、マスク設定スイッチ１５が操作されると上記タイマ回路１４が起動され、タイマ時間が経過するまでの間は、警報出力を禁止する構成としている。【選択図】図１
2005233912.tif 000002
【特許請求の範囲】
【請求項１】
熱や煙によって火災を検知し火災検知信号を出力する火災検知回路部と、火災検知信号を受けて警報を出力する警報回路部と、予め設定されたタイマ時間を計時するタイマ回路部と、マスク設定スイッチとを備え、
上記マスク設定スイッチが操作されると上記タイマ回路が起動され、タイマ時間が経過するまでの間は警報出力を禁止する構成としている、住宅用火災警報器。
【請求項２】
請求項１において、
上記マスク設定スイッチは試験スイッチと兼用されており、所定の操作により上記タイマ回路を起動し、タイマ時間が経過するまでの間は警報出力を禁止することを特徴とする、住宅用火災警報器。
【請求項３】
熱や煙によって火災を検知し火災検知信号を出力する火災検知回路部と、火災検知信号を受けて警報を出力する警報回路部とを有した火災警報器本体に、予め設定されたタイマ時間を計時するタイマ回路部を備えたマスク設定用の操作器を接続して構成された、住宅用火災警報システムであって、
上記マスク操作器よりマスク設定操作がされると、上記タイマ回路が起動されてタイマ時間を経過するまでの間は、上記火災警報器本体による警報出力を禁止する構成としている、住宅用火災警報システム。
【請求項４】
火災検知用開口部を通じて感知した熱や煙によって火災を検知し、警報ブザーから警報を出力する住宅用火災警報器において、
検知部遮断カバーを有したマスク機構を備え、この検知部遮断カバーは上記火災検知用開口部に対して開閉自在に取り付けられており、
上記マスク機構が操作されると、予め設定した所定時間の間は、上記検知部遮断カバーが動作して上記火災検知用開口部を閉塞させる構成としている、住宅用火災警報器。
【請求項５】
火災検知用開口部を通じて感知した熱や煙によって火災を検知し、警報ブザーから警報を出力する住宅用火災警報器において、
ブザー遮断カバーを有したマスク機構を備え、このブザー遮断カバーは上記警報ブザーに対して開閉自在に取り付けられており、
上記マスク機構が操作されると、予め設定した所定時間の間は、上記ブザー遮断カバーが動作して上記警報ブザーを閉塞させる構成としている、住宅用火災警報器。
【請求項６】
請求項４または５において、
上記所定時間の閉塞動作の後、上記遮断カバーを自動復帰させる復帰手段をさらに備えている、住宅用火災警報器。
【請求項７】
請求項１、２、４〜６のいずれかにおいて、
上記マスク設定操作により警報出力を禁止している間は、マスク中であることを報知するマスク報知手段をさらに備えている、住宅用火災警報器。
【請求項８】
請求項３において、
上記マスク操作器は、上記マスク設定操作により警報出力を禁止している間は、マスク中であることを報知するマスク報知手段をさらに備えている、住宅用火災警報システム。
【発明の詳細な説明】
【技術分野】
【０００１】
本発明は、住宅用火災警報器の改良に関するものである。
【背景技術】
【０００２】
従来の住宅用火災警報器は、住宅内での調理による煙や、害虫駆除燻煙等の煙などの非火災も検知するため、非火災報が発生しやすいものであった。従来は、このような非火災報の発生を事前に防止する有効な手段を有していなかった。
次の特許文献１には、いったん警報出力されたのちに、音響停止スイッチ操作により一定時間、警報出力を停止させる火災警報器が記載されているが、警報が出力されるのを未然防止するようなものではない。
【特許文献１】特開平８−１６６３４８号公報
【発明の開示】
【発明が解決しようとする課題】
【０００３】
本発明はこのような事情を考慮して提案されたもので、その目的は、住宅内で非火災報要因が事前に分かっている場合に一時的に警報出力を禁止する、いわゆるマスキング機能を有した住宅用火災警報器またはシステムを提供することにある。
【課題を解決するための手段】
【０００４】
本出願人は、上記目的を達成するために、以下に示す第１〜第３の本発明を提案している。
すなわち、第１の本発明である請求項１に記載の住宅用火災警報器は、熱や煙によって火災を検知し火災検知信号を出力する火災検知回路部と、火災検知信号を受けて警報を出力する警報回路部と、予め設定されたタイマ時間を計時するタイマ回路部と、マスク設定スイッチとを備え、マスク設定スイッチが操作されるとタイマ回路が起動され、タイマ時間が経過するまでの間は警報出力を禁止する構成としている。
【０００５】
請求項２では、請求項１において、マスク設定スイッチは試験スイッチと兼用されており、マスク設定スイッチの所定の操作によりタイマ回路を起動し、タイマ時間が経過するまでの間は警報出力を禁止することを特徴としている。
これら第１の本発明は、マスク設定スイッチの操作によりタイマを作動させて一定時間、火災検知信号による警報出力を禁止するようにしたもので、これにより、事前に分かっている非火災報の発生を防止している。
【０００６】
第２の本発明である請求項３に記載の住宅用火災警報システムは、熱や煙によって火災を検知し火災検知信号を出力する火災検知回路部と、火災検知信号を受けて警報を出力する警報回路部とを有した火災警報器本体に、予め設定されたタイマ時間を計時するタイマ回路部を備えたマスク設定用の操作器を接続して構成された、住宅用火災警報システムであって、マスク操作器よりマスク設定操作がされると、タイマ回路が起動され、タイマ時間が経過するまでの間は火災警報器本体による警報出力を禁止する構成としている。
つまり、このような第２の本発明では、マスク設定操作を火災警報器とは別体のマスク操作器で行うようにしたものである。
【０００７】
第３の本発明である請求項４に記載の住宅用火災警報器は、火災検知用開口部を通じて感知した熱や煙によって火災を検知し、警報ブザーから警報を出力する住宅用火災警報器であって、検知部遮断カバーを有したマスク機構を備え、この検知部遮断カバーは火災検知用開口部に対して開閉自在に取り付けられており、マスク機構が操作されると、予め設定した所定時間の間は、検知部遮断カバーが動作して火災検知用開口部を閉塞させる構成としている。
同じく第３の本発明である請求項５に記載の住宅用火災警報器は、火災検知用開口部を通じて感知した熱や煙によって火災を検知し、警報ブザーから警報を出力する住宅用火災警報器であって、ブザー遮断カバーを有したマスク機構を備え、このブザー遮断カバーは警報ブザーに対して開閉自在に取り付けられており、マスク機構が操作されると、予め設定した所定時間の間は、ブザー遮断カバーが動作して警報ブザーを閉塞させる構成としている。
請求項６では、請求項４または５において、火災検知用開口部や警報ブザーを閉塞した遮断カバーを自動復帰させる復帰手段をさらに備えている。
これら第３の発明は、火災検知用開口部や警報ブザーを塞ぐための遮断カバーを含んだマスク機構を有したもので、マスク機構の動作により、ブザーや火災検知用開口部を一時的に遮蔽できるようにしたものである。
【０００８】
請求項７では、請求項１、２、４〜６のいずれかにおいて、マスク設定操作により警報出力を禁止している間は、マスク中であることを報知するマスク報知手段をさらに備えている。
請求項８では、請求項３において、マスク操作器は、マスク設定操作により警報出力を禁止している間は、マスク中であることを報知するマスク報知手段をさらに備えている。
【発明の効果】
【０００９】
請求項１に記載の住宅用火災警報器は、マスク設定スイッチの操作によりタイマが起動されて、タイマ中は警報機能が動作しないようにしているため、害虫駆除等による非火災報が発生するおそれがあるときには、事前にマスク操作をすることで非火災報の発生を防止することができる。また、非火災報の発生防止のために電池を外したり、警報器本体を外したりする必要もなく、利便性が高い。
請求項２では、マスク設定スイッチが試験スイッチと併用され、所定の操作によりマスキング機能を有効としているので、警報出力を禁止するために新たなスイッチを設ける必要がない。
【００１０】
請求項３に記載の住宅用火災警報システムは、マスク操作用の操作器を別体として火災警報器本体に接続しているため、請求項１と同様の効果が得られるとともに、複数の火災警報器に対して１つの操作器を設けた場合には、接続された複数の火災警報器に対して電源の供給を停止するなどすれば、すべての火災警報器に対して警報出力を禁止することができる。
【００１１】
請求項４では、マスク操作により火災検知用開口部を閉塞させる検知部遮断カバーを設けているので、非火災報の発生が事前に分かっている場合には、火災警報器の火災検知機能を不能にして、非火災報の発生を防止することができる。
また請求項５では、マスク操作により警報ブザーを閉塞させるブザー遮断カバーを設けているので、非火災報の発生が事前に分かっている場合には、非火災報で出力されるブザー音響を小さくすることができる。
請求項６では、遮断状態となった遮断カバーを一定時間後に元の位置に自動的に戻す復帰手段をさらに備えているので、復帰操作忘れにより火災警報器が正常に動作されない事態となることを防止することができる。
【００１２】
請求項７、８では、マスク中であることを報知する構成としているので、火災警報器が正常動作中であるかどうかを容易に確認することができる。
【発明を実施するための最良の形態】
【００１３】
以下に、本発明の実施形態について、図面を参照しながら説明する。なお、以下には第１〜第３の本発明に対応した３実施例について、順次説明する。
【実施例１】
【００１４】
図１は、第１の本発明の住宅用火災警報器の一例を示す外観図および基本回路構成図である。
（ａ）は住宅用火災警報器１０Ａの外観を示したものである。図示するように、警報器１０Ａには引き紐１５が取り付けられており、この紐１５の引き操作により警報出力を禁止（マスキング機能）させるようにしている。すなわち、この引き紐はマスク設定スイッチの操作手段を構成している。
また（ｂ）は、住宅用火災警報器１０Ａの要部構成を示す基本回路構成図である。この火災警報器１０Ａは、各部を制御するとともに、本発明を実施するための警報出力禁止制御回路を構成する制御手段（ＣＰＵ）１１、火災を検知する火災検知回路１２、火災報知するための警報回路１３、タイマ回路１４、マスク設定スイッチ１５、マスク灯、ブザー等で構成されたマスク報知手段１６、電源回路１７を含んで構成されている。なお、上記各部と電源回路１７との配線は省略する。
【００１５】
この住宅用火災警報器１０Ａは、マスク設定スイッチ１５が操作されると、警報出力は禁止されるようになっている。図２のフローチャートには、警報出力の禁止動作を示している。
マスク設定スイッチ１５が操作されると、ＣＰＵ１１は火災検知回路１２に対して火災検知機能を停止させる指令を出し警報出力を停止させ、タイマ回路１４を起動させるとともに、マスク動作を報知するためにブザー１６を鳴動させマスク灯１６を点灯させる（１００〜１０４）。タイムアップすると、火災検知機能を可能にしてブザー鳴動を停止させマスク灯１６を消灯させ、警報器１０Ａを通常状態に復帰させる（１０５〜１０８）。
なお、ここでは火災検知回路１２を停止、再開させているが、警報回路１３に対して警報停止、再開信号を出力するようにしてもよい。また、電源の供給を停止、再開させるようにしてもよい。
【００１６】
このように、本発明の警報器によれば、警報出力を一定時間禁止させるマスキング機能を備えているので、事前に予想できる害虫駆除燻煙等による非火災報の発生を防止することができる。また、スイッチを操作するだけなので、電池外しや本体外しなどのように面倒な処理を必要としない。また、タイマ後は自動的にマスクを外して元の警報監視状態に戻しているので、マスクしたまま放置される心配もない。さらに、マスクしている時間はブザー１６が鳴動し、マスク灯１６が点灯しているので、使用者はマスク中であることを容易に確認することができる。
【００１７】
また、マスク設定スイッチ１５は、引き紐には限定されず、押ボタンやスライドレバーを操作手段として構成してもよい。さらに警報器試験用の引き紐と兼用させてもよく、この場合、ＣＰＵ１１は、引き紐を所定時間内に一度引けば試験開始信号、所定時間内に二度引きまたは長引きなどの特殊操作をすればマスキング開始信号として判断する。これにより、天井取付具に対して操作の容易な引き紐を共用できるので、余分な操作部材を設ける必要がない。
【実施例２】
【００１８】
図３は、第２の本発明の住宅用火災警報システムの一例を示すシステム構成図である。
本実施例では、マスク設定用に警報器本体とは別体のマスク操作器２０を設けたものを示している。本システムは、複数の住宅用火災警報器本体１０Ｂ、１０Ｂ・・・に共通のマスク操作器２０を接続している。このマスク操作器２０は、マスク操作スイッチ２５のほか、マスク灯、ブザー等のマスク報知手段２６、ＣＰＵ（不図示）、タイマ回路（不図示）を備えている。なお、住宅用火災警報器１０Ｂとマスク操作器２０とは、図例では信号線で接続されている（有線接続）が、微弱電波や赤外線などの無線で接続してもよい。
マスク操作器２０に内蔵したＣＰＵは、マスク操作スイッチ２５が操作されると、接続されたすべての火災警報器１０Ｂに対して、警報出力の停止指令信号を出力する。また、このような構成に代えて、火災警報器本体１０Ｂには、マスク操作器２０から電源供給を行い、マスキング機能を実行する期間だけ電源供給を遮断してもよい。
【００１９】
このようなシステム構成であれば、火災警報器本体１０Ｂには、マスキング処理に必要なタイマ回路を設ける必要はなく、従前の火災警報器で代用できる。マスキング機能の動作については、実施例１と同様なのでフローチャートは割愛する。また、１つの操作スイッチですべての警報器をマスクさせる構成としているので、使用者にとってきわめて使いやすい。
なお、マスク操作器２０を接続した火災警報器本体１０Ｂは、個々にマスク操作スイッチすなわちマスキング機能を備えたものであってもよい。つまり、この構成によれば、いっせいにマスク設定することもできれば、個別に設定することもできる。
【実施例３】
【００２０】
図４は、第３の本発明の住宅用火災警報器の説明図である。（ａ）はマスク機能を実行しない通常の監視状態を示す図、（ｂ）はマスク機能を実行している状態を示す説明図である。
本実施例では、住宅用火災警報器３０は、火災検知用開口部３２を有した検知部３１と、火災を報知する警報ブザー３４と、試験引き紐３７と、マスク操作スイッチ３６、開口部用遮断カバー３３、ブザー用遮断カバー３５を含んだマスク機構とを備えている。
【００２１】
図例ではマスク操作スイッチ３６は、矢印方向にスライド操作されるようになっており、これが操作されると、開口部用遮断カバー３３、ブザー用遮断カバー３５の双方あるいは、いずれか一方が待機位置からマスク位置に移動して火災検知開口部３２、警報ブザー３４を閉塞させる。ここでいう閉塞は、火災検知部が火災要因を検知できない程度、また警報ブザーが鳴動しても大きな警報音が出力されない程度であればよい。このような閉塞操作により、非火災報の発生が事前に分かっている場合には、火災検知機能を不能にしたり、ブザー音響を小さくしたりすることができる。
なお、開口部用遮断カバー３３は、検知部３１の開口していない箇所の適所に待機している。
【００２２】
また、マスク機構の駆動は電気的なものでもよいし、機械的なものでもよい。さらに、警報器とは別体の操作器やリモコンなどで遠隔操作できるようにしてもよい。もちろん、各カバー３３、３５を手動で直接スライドさせるようなものでもよい。また、マスク操作スイッチは共通のものを示しているが、個別に設けてもよい。また、引き紐でもよいし、試験用引き紐と兼用させてもよい。
また、開口部用遮断カバー３３、ブザー用遮断カバー３５は、ゼンマイ等の機械的機構、タイマとアクチュエータなどの電気的機構の復帰手段が作用することにより、一定時間後に自動的に元の位置に戻るようになっている。
【図面の簡単な説明】
【００２３】
【図１】（ａ）は第１の本発明の住宅用火災警報器の一例を示す外観図、（ｂ）はその基本回路構成図
【図２】第１または第２の本発明の基本動作を示すフローチャート
【図３】第２の本発明の住宅用火災警報システムの一例を示す基本構成図
【図４】第３の本発明の住宅用火災警報器を示し、（ａ）はマスク機能を実行しない通常の監視状態を示す図、（ｂ）はマスク機能を実行している状態を示す説明図
【符号の説明】
【００２４】
１０Ａ      住宅用火災警報器
１１      警報出力禁止制御回路
１２      火災検知回路
１３      警報回路
１４      タイマ回路
１５      マスク設定スイッチ
１６      マスク報知手段
１７      電源回路
１０Ｂ      住宅用火災警報器本体
２０      マスク操作器
２５      マスク設定スイッチ
２６      マスク報知手段（マスク灯、ブザー）
３０      住宅用火災警報器
３１      検知部
３２      火災検知用開口部
３３      開口部用遮断カバー
３４      警報ブザー
３５      ブザー用遮断カバー
３６      マスク操作スイッチ
【図１】
2005233912.tif 000003
【図２】
2005233912.tif 000004
【図３】
2005233912.tif 000005
【図４】
2005233912.tif 000006